(57)【要約】【課題】薄型ディスプレイ装置１において、台座部２の接地面積を小さくしつつ、リモコン操作に応じて、台座部２に対してディスプレイ部４をモータの駆動力により旋回可能とし、さらに傾斜面に設置された場合でも転倒しにくくする。【解決手段】設置面に設置される台座部２と、台座部２に対して略垂直な旋回軸３を中心として旋回可能に支持されたディスプレイ部４と、ディスプレイ部４を旋回軸３の回りに所定の角度範囲内で旋回させる旋回駆動機構５とを備え、旋回軸３は、設置面が水平であるときのディスプレイ部４の重心位置Ｇから水平方向に変位しており、ディスプレイ部４に設けられ、重力の作用方向を検出する重力方向センサ６と、重力方向センサ６により検出された重力の作用方向に応じて、旋回駆動機構５の駆動を制御し、ディスプレイ部４を旋回させてその重心位置Ｇを移動させる。【選択図】図１
2009047813.tif 000002
【特許請求の範囲】
【請求項１】
設置面に設置される台座部と、前記台座部に対して略垂直な旋回軸を中心として旋回可能に支持されたディスプレイ部と、前記ディスプレイ部を前記旋回軸の回りに所定の角度範囲内で旋回させる旋回駆動機構とを備えた薄型ディスプレイ装置であって、
前記旋回軸は、設置面が水平であるときの前記ディスプレイ部の重心位置から水平方向に変位しており、
前記ディスプレイ部に設けられ、重力の作用方向を検出する重力方向センサと、前記重力方向センサにより検出された重力の作用方向に応じて、前記旋回駆動機構の駆動を制御し、前記ディスプレイ部を旋回させてその重心位置を移動させる旋回制御部をさらに備えたことを特徴とする薄型ディスプレイ装置。
【請求項２】
設置面が水平であるときの理想的な重力の作用方向を記憶する記憶部をさらに備え、
前記旋回制御部は、この薄型ディスプレイ装置が設置され、最初に電源が投入されたときに、前記重力方向センサを起動して実際の重力の作用方向を検出し、前記理想的な重力の作用方向と比較し、前記実際の重力の作用方向と前記理想的な重力の作用方向の差を所定の範囲以下にするように、前記旋回駆動機構の駆動を制御することを特徴とする請求項１に記載の薄型ディスプレイ装置。
【請求項３】
リモコン装置からの信号を受信する信号受信部をさらに備え、
前記受信制御部が所定の旋回信号を受信したときに、前記旋回制御部は、前記旋回駆動機構を駆動して前記ディスプレイ部を旋回させると共に、前記ディスプレイ部を旋回に伴って、前記重力方向センサにより検出される実際の重力の作用方向と前記理想的な重力の作用方向と比較し、前記実際の重力の作用方向と前記理想的な重力の作用方向の差が前記所定の範囲を超えるときは、前記所定の旋回信号の受信に関わらず、前記旋回駆動機構の駆動を停止することを特徴とする請求項１又は２に記載の薄型ディスプレイ装置。
【請求項４】
前記ディスプレイ部は、前記旋回軸に対して直交する第２旋回軸の回りに所定の範囲内で、手動により旋回可能であることを特徴とする請求項１乃至３のいずれかに記載の薄型ディスプレイ装置。
【発明の詳細な説明】
【技術分野】
【０００１】
本発明は、液晶ディスプレイ装置やプラズマディスプレイ装置などの薄型ディスプレイ装置に関する。
【背景技術】
【０００２】
液晶ディスプレイ装置やプラズマディスプレイ装置などの薄型ディスプレイ装置は、ＣＲＴディスプレイ装置に比べて奥行き寸法が小さく、かつ軽量である。そのため、リモコン操作に応じて、台座部に対してディスプレイ部をモータの駆動力により旋回可能にした薄型ディスプレイ装置が実用化されている。
【０００３】
通常、これらのディスプレイ装置は、水平な床面や台の上に設置されるが、何らかの事情で設置面が水平でない場合もあり得る。元々、薄型ディスプレイ装置は、ＣＲＴディスプレイ装置に比べて奥行き寸法が小さい分だけその台座部の接地面積が小さく、外部から振動などが加えられた場合に、その表示画面に垂直な方向（ディスプレイ装置の前後方向）に、ＣＲＴディスプレイ装置よりも転倒しやすい傾向にある。従って、薄型ディスプレイ装置を傾斜面に設置した場合、比較的小さな振動であっても転倒する可能性がある。また、旋回可能な薄型ディスプレイ装置を傾斜面に設置した場合、設置した初期状態では安定していたとしても、その旋回によって重心位置が変位し、安定性が悪くなる可能性がある。薄型ディスプレイ装置を傾斜面に安定して設置するには、台座部の接地面積を大きくすればよいが、そうすると台座部の奥行き寸法が大きくなり、ディスプレイ部を薄型化した意味が失われてしまう。
【０００４】
特許文献１には、台座に対して水平軸と垂直軸の２軸回りに回転可能にディスプレイ部を保持し、ディスプレイ部に変位センサを設け、外部から振動が加えられた場合に、変位センサの検出結果に応じて水平軸及び垂直軸回りにディスプレイ部を回転させ、それによってディスプレイ装置の転倒を防止する技術が記載されている。この構成は、元々地震対策のためになされたものであり、ユーザの視聴位置に合わせてディスプレイ部を旋回させるためのものではない。また、地震発生時に地震波の位相と逆向きの位相でディスプレイ部を水平軸と垂直軸の２軸回りに振動させるために、トルクの大きなモータを高速で、しかも回転方向を頻繁に反転させながら駆動しなければならず、駆動装置及び電源装置の大型化及び制御方法の複雑化を招くと共に、停電したときには機能しないといった問題を有している。
【０００５】
特許文献２には、ディスプレイ装置などの転倒防止のために、荷重支持体とその支持体ベースの間にばねを介在させ、ディスプレイ装置を転倒させようとする力が加えられたときに支持体が傾き、転倒に対して有利な位置で荷重を受け、耐転倒力を向上させる技術が記載されている。しかしながら、この構成を薄型ディスプレイ装置に応用すると仮定すれば、台座部を上記荷重支持体、支持体ベース及びばねで構成しなければならず、台座部の構成の複雑化及び大型化を招く。さらに、台座部に対してディスプレイ部をモータの駆動力により旋回可能にするとすれば、駆動機構を支持体側に設けなければならず、台座部がさらに複雑化及び大型化する。
【０００６】
特許文献３には、扇形歯車をピニオンで駆動するＣＲＴディスプレイ装置の傾斜構造が開示されている。しかしながら、この構成を薄型ディスプレイ装置に応用すると仮定すれば、台座部に扇形歯車、ピニオン及び駆動モータなどを設けなければならず、台座部の構成の複雑化及び大型化を招く。
【０００７】
【特許文献１】特開２００７−１２１９０１号公報
【特許文献２】特開平５−２１９４６０号公報
【特許文献３】特開昭６０−２３９１８３号公報
【発明の開示】
【発明が解決しようとする課題】
【０００８】
本発明は、上記従来例の問題を解決するためになされたものであり、液晶ディスプレイ装置やプラズマディスプレイ装置などの薄型ディスプレイ装置において、台座部の接地面積を小さくしつつ、リモコン操作に応じて、台座部に対してディスプレイ部をモータの駆動力により旋回可能であり、さらに傾斜面に設置された場合でも転倒しにくい薄型ディスプレイ装置を提供することを目的とする。
【課題を解決するための手段】
【０００９】
上記目的を達成するために請求項１の発明は、設置面に設置される台座部と、前記台座部に対して略垂直な旋回軸を中心として旋回可能に支持されたディスプレイ部と、前記ディスプレイ部を前記旋回軸の回りに所定の角度範囲内で旋回させる旋回駆動機構とを備えた薄型ディスプレイ装置であって、前記旋回軸は、設置面が水平であるときの前記ディスプレイ部の重心位置から水平方向に変位しており、前記ディスプレイ部に設けられ、重力の作用方向を検出する重力方向センサと、前記重力方向センサにより検出された重力の作用方向に応じて、前記旋回駆動機構の駆動を制御し、前記ディスプレイ部を旋回させてその重心位置を移動させる旋回制御部をさらに備えたことを特徴とする。
【００１０】
請求項２の発明は、請求項１に記載の薄型ディスプレイ装置において、設置面が水平であるときの理想的な重力の作用方向を記憶する記憶部をさらに備え、前記旋回制御部は、この薄型ディスプレイ装置が設置され、最初に電源が投入されたときに、前記重力方向センサを起動して実際の重力の作用方向を検出し、前記理想的な重力の作用方向と比較し、前記実際の重力の作用方向と前記理想的な重力の作用方向の差を所定の範囲以下にするように、前記旋回駆動機構の駆動を制御することを特徴とする。
【００１１】
請求項３の発明は、請求項１又は２に記載の薄型ディスプレイ装置において、リモコン装置からの信号を受信する信号受信部をさらに備え、前記受信制御部が所定の旋回信号を受信したときに、前記旋回制御部は、前記旋回駆動機構を駆動して前記ディスプレイ部を旋回させると共に、前記ディスプレイ部を旋回に伴って、前記重力方向センサにより検出される実際の重力の作用方向と前記理想的な重力の作用方向と比較し、前記実際の重力の作用方向と前記理想的な重力の作用方向の差が前記所定の範囲を超えるときは、前記所定の旋回信号の受信に関わらず、前記旋回駆動機構の駆動を停止することを特徴とする。
【００１２】
請求項４の発明は、請求項１乃至３のいずれかに記載の薄型ディスプレイ装置において、前記ディスプレイ部は、前記旋回軸に対して直交する第２旋回軸の回りに所定の範囲内で、手動により旋回可能であることを特徴とする。
【発明の効果】
【００１３】
請求項１の発明によれば、旋回軸が、設置面が水平であるときの前記ディスプレイ部の重心位置から水平方向に変位しているので、旋回軸回りの１軸回転によって、薄型ディスプレイ装置の重心位置を変位させることができる。また、ディスプレイ部に重力方向センサを設けているので、この薄型ディスプレイ装置が傾斜面に設置された場合、重力方向センサにより検出された重力の作用方向が、垂直方向からずれる。そのため、検出された実際の重力の作用方向から、設置面が傾斜していることだけでなく、どの方向に傾斜しているのかもわかる。旋回制御部は、重力方向センサにより検出された重力の作用方向に応じて、旋回駆動機構の駆動を制御し、ディスプレイ部を旋回させて、例えば実際の重力の作用方向が台座部の中心を通るように、その重心位置を移動させる。それにより、薄型ディスプレイ装置が傾斜面に設置された場合であっても、転倒しにくくすることができる。なお、ここでいう薄型ディスプレイ装置は、一般的には液晶ディスプレイ装置又はプラズマディスプレイ装置を意味するが、少なくともＣＲＴディスプレイ装置は除くという趣旨である。
【００１４】
請求項２の発明によれば、薄型ディスプレイ装置の設置後の最初の電源投入時に、自動的に、重力方向センサを起動して実際の重力の作用方向を検出し、理想的な重力の作用方向と比較して、実際の重力の作用方向と理想的な重力の作用方向の差を所定の範囲以下にするように、旋回駆動機構の駆動を制御するので、ユーザの手を煩わせることなく、薄型ディスプレイ装置を転倒しにくい状態に設置することができる。
【００１５】
請求項３の発明によれば、ユーザのリモコン操作に応じて薄型ディスプレイ装置の表示画面を旋回できると共に、薄型ディスプレイ装置が傾斜面に設置された場合に、ユーザがそのことを認識せずに不用意にディスプレイ部を旋回させたとしても、薄型ディスプレイ装置の転倒を防止することができる。
【００１６】
請求項４の発明によれば、薄型ディスプレイ装置が傾斜面に設置された場合に、ディスプレイ部を旋回軸の回りに旋回させると、そのままでは表示画面が垂直でなくなるが、ディスプレイ部が、旋回軸に対して直交する第２旋回軸の回りに所定の範囲内で手動により旋回可能であるので、表示画面を垂直に修正することができる。
【発明を実施するための最良の形態】
【００１７】
本発明の一実施形態に係る薄型ディスプレイ装置について、図面を参照しつつ説明する。図１（ａ）は、本実施形態に係る薄型ディスプレイ装置１の構成を示す正面図、図１（ｂ）はその平面図、図２はその側面図である。
【００１８】
薄型ディスプレイ装置１は、例えば液晶ディスプレイ装置又はプラズマディスプレイ装置であり、設置面に設置される台座部２と、台座部２に対して略垂直な旋回軸３を中心として旋回可能に支持されたディスプレイ部４と、ディスプレイ部４を旋回軸３の回りに所定の角度範囲内で旋回させる旋回駆動機構５を備えている。旋回駆動機構５は、例えばモータと駆動歯車列などで構成されている。旋回軸３は、設置面が水平であるときのディスプレイ部４の重心位置Ｇから水平方向に変位している。旋回軸がディスプレイ部の重心位置にある薄型ディスプレイ装置では、ディスプレイ部は、旋回軸に対して±１５度程度旋回可能に設定されているが、本実施形態に係る薄型ディスプレイ装置１では、旋回時の安定性を考慮して、旋回可能範囲を少し狭く、例えば±１０度程度に設定されている。
【００１９】
ディスプレイ部４には、重力の作用方向を検出する重力方向センサ６と、重力方向センサ６により検出された重力の作用方向に応じて、旋回駆動機構５の駆動を制御し、ディスプレイ部４を旋回させてその重心位置を移動させる旋回制御部７と、リモコン装置（図示せず）からの信号を受信する信号受信部８が設けられている。旋回制御部７を構成する制御回路は記憶部９をさらに備え、設置面が水平であるときの理想的な重力の作用方向などをあらかじめ記憶している。
【００２０】
重力方向センサ６は、例えば加速度センサなどであってもよいし、ディスプレイ部４のフレームに貼付されたストレインゲージ（応力−歪みゲージ）などであってもよい。重力方向センサ６としてスト連ゲージを用いた場合、設置面が水平であるとき、重力の作用方向は、垂直、すなわち旋回軸３の中心軸Ｌ１とほぼ平行であるので、旋回軸３と平行に配置されたストレインゲージにのみ応力が発生し、旋回軸３の中心軸Ｌ１と直交する方向に配置されたストレインゲージには応力は発生しない。それに対して、設置面が傾斜していると、重力の作用方向は旋回軸３と平行ではなくなるので、旋回軸３の中心軸Ｌ１と直交する方向に配置されたストレインゲージにも応力が発生する。従って、これらストレインゲージに発生する応力をモニタしておけば、重力の作用方向がわかる。
【００２１】
設置面が水平であったとしても、ユーザの視聴位置や姿勢などとの相対的な関係により、ディスプレイ部の表示画面を垂直から若干傾斜させたい場合もあるため、薄型ディスプレイ装置では、ディスプレイ部が水平な軸の回りに所定の範囲内で旋回可能に構成されたものが存在している。本実施形態に係る薄型ディスプレイ装置１では、傾斜面に設置されることを前提としているので、ディスプレイ部４の表示画面４ａを、垂直を含む任意の角度に調節できるようにしている。具体的には、図２に示すように、ディスプレイ部４は、（第１）旋回軸３に対して直交する第２旋回軸１０の回りに所定の範囲内（例えば、±１０度程度）で、手動により旋回可能に構成されている。また、第２旋回軸１０は（第１）旋回軸３と共に、旋回駆動機構５により旋回される。
【００２２】
図３に示すように、本実施形態に係る薄型ディスプレイ装置１を傾斜面に設置しただけの状態では、重心Ｇにおける実際の重力の作用方向が旋回軸３の中心軸Ｌ１からずれ、台座部２の底面の中心２ａよりも前方を通るので、台座部２の底面の中心２ａには、薄型ディスプレイ装置１を前向に回転させようとするモーメントが作用する。その結果、この薄型ディスプレイ装置１が前方に転倒しやすくなる。
【００２３】
一方、図４は、この薄型ディスプレイ装置１の旋回制御部７が重力方向センサ６により検出した実際の重力の作用方向に基づいて、旋回駆動機構５の駆動を制御したときの状態を示す。図４に示す状態では、ディスプレイ部４は、台座部２の底面の中心２ａから変位した旋回軸３を中心として旋回され、重心Ｇにおける実際の重力の作用方向の延長線は、台座部２の底面の中心２ａ近傍を通るので、台座部２の底面の中心２ａには、薄型ディスプレイ装置１を前向き又は後向に回転させようとするモーメントはほとんど作用しない。その結果、薄型ディスプレイ装置１が傾斜面に設置された場合であっても、転倒しにくくなる。図５は、図４に示す状態から、さらにディスプレイ部４を第２旋回軸１０の回りに旋回させ、表示画面４ａを、任意の角度、例えば垂直に調節した状態を示す。
【００２４】
次に、薄型ディスプレイ装置１が設置され、その後の最初に電源が投入された場合の初期設置処理について、図６に示すフローチャートを参照しつつ説明する。
【００２５】
図６に示すように、旋回制御部７は、重力方向センサ６を起動して実際の重力の作用方向を検出し（Ｓ１）、検出した実際の重力の作用方向と、記憶部９にあらかじめ記憶されている理想的な重力の作用方向と比較する（Ｓ２）。実際の重力の作用方向と理想的な重力の作用方向が一致している場合、あるいは実際の重力の作用方向と理想的な重力の作用方向の差が所定の範囲以下のときは（Ｓ３でＹＥＳ）、旋回駆動機構５を駆動せずに、そのまま終了する。一方、実際の重力の作用方向と理想的な重力の作用方向の差が所定の範囲を超えているときは（Ｓ３でＮＯ）、実際の重力の作用方向と理想的な重力の作用方向の比較結果に基づいてディスプレイ部４の旋回方向を決定し（Ｓ４）、あらかじめ設定されている角度（例えば１度）だけ、ディスプレイ部４を旋回軸３の回りに旋回させる（Ｓ５）。このディスプレイ部４の旋回により、重心位置Ｇが変位しているので、ステップＳ１に戻って、上記動作を繰り返す。
【００２６】
なお、複数回ディスプレイ部４の旋回動作を繰り返す場合、比較的小さく設定された同じ旋回角度で旋回動作を繰り返してもよいし、はじめは旋回角を比較的大きく設定し、徐々に旋回角を小さくしながら旋回動作を繰り返してもよい。特に、旋回方向決定ステップＳ４を備えているので、旋回角度が大きすぎた場合、逆方向に戻すことが可能である。
【００２７】
このように、薄型ディスプレイ装置１の設置後の最初の電源投入時に、自動的に、重力方向センサ６を起動して実際の重力の作用方向を検出し、理想的な重力の作用方向と比較して、実際の重力の作用方向と理想的な重力の作用方向の差を所定の範囲以下にするように、旋回駆動機構５の駆動を制御するので、ユーザの手を煩わせることなく、薄型ディスプレイ装置１を転倒しにくい状態に設置することができる。
【００２８】
次に、薄型ディスプレイ装置１の設置完了後、ユーザによるリモコン操作に応じて旋回駆動機構を駆動制御し、ディスプレイ部４の表示画面４ａを任意の方向に向ける場合について、図７に示すフローチャートを参照しつつ説明する。なお、薄型ディスプレイ装置１が設置された時点で、上記図６に示す初期設置処理が行われており、薄型ディスプレイ装置１は転倒しにくい状態に設置されていることを前提とする。
【００２９】
図７に示すように、信号受信部８がリモコン装置からの旋回信号を受信すると、旋回制御部７は、あらかじめ設定されている角度（例えば１度）だけ、ディスプレイ部４を指定された方向に旋回軸３の回りに旋回させる（Ｓ１１）。ディスプレイ部４の旋回により、重心Ｇの位置が変位するので、旋回制御部７は、重力方向センサ６を起動して実際の重力の作用方向を検出し（Ｓ１２）、検出した実際の重力の作用方向と、記憶部９にあらかじめ記憶されている理想的な重力の作用方向と比較する（Ｓ１３）。実際の重力の作用方向と理想的な重力の作用方向が一致している場合、あるいは実際の重力の作用方向と理想的な重力の作用方向の差が所定の範囲以下のときは（Ｓ１４でＹＥＳ）、そのままディスプレイ部４の旋回動作を継続しても支障ないので、引き続きリモコン装置から旋回信号が送信されている場合は（Ｓ１５でＹＥＳ）、ステップＳ１１に戻る。一方、実際の重力の作用方向と理想的な重力の作用方向の差が所定の範囲を超えているときは（Ｓ１４でＮＯ）、ディスプレイ部４の旋回動作を継続すると薄型ディスプレイ装置１が転倒する危険性があるので、旋回信号の受信に関わらず、旋回駆動機構５の駆動を停止して終了する。また、リモコン装置から旋回信号が送信されなくなった場合（Ｓ１５でＮＯ）も同様に、旋回駆動機構５の駆動を停止して終了する。なお、設置面がよほどの急斜面でないかぎり、いきなりステップＳ１４でＮＯとなることはないので、ディスプレイ部４の旋回機構が損なわれることはなく、実用上問題はない。
【００３０】
このように、薄型ディスプレイ装置１は、リモコン操作に応じたディスプレイ部４の旋回機能だけでなく、重力の作用方向を検出する機構を備え、ディスプレイ部４を旋回に伴って、重力方向センサ６により検出される実際の重力の作用方向と理想的な重力の作用方向と比較し、実際の重力の作用方向と理想的な重力の作用方向の差が所定の範囲を超えるときは、旋回信号の受信に関わらず、旋回駆動機構５の駆動を停止するので、薄型ディスプレイ装置が傾斜面に設置された場合に、ユーザがそのことを認識せずに不用意にディスプレイ部を旋回させたとしても、薄型ディスプレイ装置の転倒を防止することができる。
【００３１】
なお、通常、ユーザが目視によっても設置面が傾斜していると判断できるときは、設置面と台座部の間にスペーサを挿入して傾斜を補正すると考えられる。従って、本実施形態に係る薄型ディスプレイ装置１は、設置面が目視では判断できない程度に傾斜している場合に、特に有効である。
【図面の簡単な説明】
【００３２】
【図１】（ａ）は本発明の一実施形態に係る薄型ディスプレイ装置の構成を示す正面図、（ｂ）はその平面図。
【図２】上記薄型ディスプレイ装置の構成を示す側面図。
【図３】上記薄型ディスプレイ装置を傾斜面に設置しただけの状態を示す図。
【図４】上記薄型ディスプレイ装置において、重力方向センサにより検出した実際の重力の作用方向に基づいて、旋回駆動機構の駆動を制御したときの状態を示す図。
【図５】上記薄型ディスプレイ装置において、さらにディスプレイ部を第２旋回軸の回りに旋回させ、表示画面を例えば垂直に調節した状態を示す図。
【図６】上記薄型ディスプレイ装置が設置され、その後の最初に電源が投入された場合の初期設置処理を示すフローチャート。
【図７】上記薄型ディスプレイ装置において、ユーザによるリモコン操作に応じてディスプレイ部を任意の方向に向ける動作を示すフローチャート。
【符号の説明】
【００３３】
１  薄型ディスプレイ装置
２  台座部
２ａ  台座部の底面の中心
３  （第１）旋回軸
４  ディスプレイ部
４ａ  表示画面
５  旋回駆動機構
６  重力方向センサ
７  旋回制御部
８  信号受信部
９  記憶部
１０  第２旋回軸
Ｇ  重心
【図１】
2009047813.tif 000003
【図２】
2009047813.tif 000004
【図３】
2009047813.tif 000005
【図４】
2009047813.tif 000006
【図５】
2009047813.tif 000007
【図６】
2009047813.tif 000008
【図７】
2009047813.tif 000009